(57)【特許請求の範囲】
【請求項１】
可搬性を備えた筐体と、
前記筐体内に設けられて、現金を出金可能に収納する現金収納部と、
前記現金収納部に収納された現金のうち、所定額の現金を出金する出金指示を受け付ける指示受付部と、
自装置の現在位置を検出する位置検出部と、
前記指示受付部が出金指示を受け付けた場合、前記位置検出部によって検出された現在位置があらかじめ設定された稼動条件に合致するか否かを判断する第１判断部と、
前記第１判断部が自装置の現在位置が稼動条件に合致すると判断した場合に、前記出金指示に基づいて、前記現金収納部に収納された現金のうち前記所定額の現金を出金するよう前記現金収納部を駆動制御する出金制御部と、
前記出金制御部の駆動制御によって出金された現金に基づいて、前記現金収納部に収納されている現金の残高を管理する現金残高管理部と、
前記現金残高管理部によって管理されている現金の額が所定の下限額を下回ったか否かを判断する第２判断部と、
前記第２判断部が現金の額が所定の下限額を下回ったと判断した場合に、自装置に対する入金を喚起する喚起部と、
を備えたことを特徴とする現金取扱装置。
【請求項２】
前記喚起部は、自装置から所定範囲内に存在する利用者の端末装置を介して、自装置の存在および自装置への入金要求を報知することにより、自装置に対する入金を喚起することを特徴とする請求項１に記載の現金取扱装置。
【請求項３】
前記出金指示は、あらかじめ指定された指定額を出金する指示であることを特徴とする請求項１または２に記載の現金取扱装置。
【請求項４】
前記現金収納部に対する現金の入金を受け付ける入金受付部と、
前記入金受付部によって現金の入金が受け付けられるごとに、前記現金収納部によって収納される現金の額を計数する現金額計数部と、
を備え、
前記現金残高管理部は、前記現金額計数部によって計数された現金に基づいて、前記現金収納部に収納されている現金の残高を管理し、
前記第２判断部は、前記現金残高管理部によって管理されている現金の額が所定の上限額を上回ったか否かを判断し、
前記喚起部は、前記第２判断部が現金の額が所定の上限額を上回ったと判断した場合、自装置から所定範囲内に存在する利用者の端末装置を介して、自装置の存在および自装置からの出金要求を報知することにより、自装置からの出金を喚起することを特徴とする請求項１〜３のいずれか一つに記載の現金取扱装置。
【請求項５】
自装置の振動を検出する振動検出部と、
前記振動検出部によって振動が検出されたことに基づいて、警報を出力する警報出力部と、
をさらに備えたことを特徴とする請求項１〜４のいずれか一つに記載の現金取扱装置。
【請求項６】
自装置に入金された現金に所定のマーキングを施すマーキング部と、
前記出金制御部の駆動制御によって出金される現金に施された前記マーキングを消去するマーキング消去部と、
をさらに備えたことを特徴とする請求項１〜５のいずれか一つに記載の現金取扱装置。
【発明の詳細な説明】
【技術分野】
【０００１】
この発明は、現金取扱装置に関する。
【背景技術】
【０００２】
金融機関やコンビニエンスストアなどの商業施設に設置され、ホストコンピュータと通信回線を介して接続されることによってシステムを構成するＡＴＭ（Ａｕｔｏｍａｔｅｄ  Ｔｅｌｌｅｒ  Ｍａｃｈｉｎｅ）があった。ＡＴＭは、利用者による操作を受け付けると、ホストコンピュータに記憶された利用者の識別情報やこれに関連付けられた各種の情報に基づいて認証をおこなった結果、利用者によるＡＴＭに対する現金の入出金を可能としている（たとえば、下記特許文献１を参照。）。
【０００３】
また、近年、トラックやバスを改造して車内に銀行の店舗機能を設置した移動銀行窓口車が実用化されている。移動銀行窓口車は、たとえば、金融機関から遠く交通の便が悪い地域などにおいて金融機関の窓口業務などに利用されている。
【先行技術文献】
【特許文献】
【０００４】
【特許文献１】特開２０１３−２４２６４７号公報
【発明の概要】
【発明が解決しようとする課題】
【０００５】
しかしながら、上述した従来の技術は、ＡＴＭが設置してある金融機関や商業施設に利用者がおもむかなくてはならず、煩雑であり、利便性に劣るという問題があった。また、上述した従来の技術は、ＡＴＭが建物と一体化されており、移動銀行窓口車は車両と一体化されているため、臨時的に特定の屋内で利用する、すなわち状況に応じて利用場所を変えるということが難しく、利便性に劣るという問題があった。仮に、移動銀行窓口車を体育館などの屋内で利用する場合にも、搬入などが大がかりになり利便性に劣るという問題があった。
【０００６】
また、たとえば、地震や洪水などの天災によって地域一帯が大きく被害を受けた場合、既存のＡＴＭが使えないばかりか、あらたなＡＴＭを設置する場所を確保することが難しい。このため、上述したように、建物あるいは車両などと一体化されているために比較的大型になりやすい従来の技術は、あらたなＡＴＭを設置することが難しい。一方で、このような場合こそ、現金が必要であり、現金を入手できる環境の整備が望まれる。
【０００７】
また、イベントは、その会場が常時設営されているとは限らない。たとえば、イベントに供される場所として人気が高い場所では、高い頻度で何らかのイベントを開催していることもあるが、イベントによって集客力に差があること、イベント非開催日などにおける防犯性などを考慮すると、ＡＴＭを常時設置しておくことが必ずしも望ましいものではない。
【０００８】
この発明は、上述した従来技術による問題点を解消するため、利用者の利便性の向上を図ることができる現金取扱装置を提供することを目的とする。
【課題を解決するための手段】
【０００９】
上述した課題を解決し、目的を達成するため、この発明にかかる現金取扱装置は、可搬性を備えた筐体と、前記筐体内に設けられて、現金を出金可能に収納する現金収納部と、前記現金収納部に収納された現金のうち、所定額の現金を出金する出金指示を受け付ける指示受付部と、前記指示受付部が出金指示を受け付けた場合、当該出金指示に基づいて、当該現金収納部に収納された現金のうち前記所定額の現金を出金するよう前記現金収納部を駆動制御する出金制御部と、前記出金制御部の駆動制御によって出金された現金に基づいて、前記現金収納部に収納されている現金の残高を管理する現金残高管理部と、前記現金残高管理部によって管理されている現金の額が所定の下限額を下回ったか否かを判断する判断部と、前記判断部が現金の額が所定の下限額を下回ったと判断した場合に、自装置に対する入金を喚起する喚起部と、を備えたことを特徴とする。
【００１０】
また、この発明にかかる現金取扱装置は、上記の発明において、前記喚起部が、自装置から所定範囲内に存在する利用者の端末装置を介して、自装置の存在および自装置への入金要求を報知することにより、自装置に対する入金を喚起することを特徴とする。
【００１１】
また、この発明にかかる現金取扱装置は、上記の発明において、前記喚起部が、所定の金融機関への移動を喚起することにより、自装置に対する入金を喚起することを特徴とする。
【００１２】
また、この発明にかかる現金取扱装置は、上記の発明において、前記出金指示が、あらかじめ指定された指定額を出金する指示であることを特徴とする。
【００１３】
また、この発明にかかる現金取扱装置は、上記の発明において、前記現金収納部に対する現金の入金を受け付ける入金受付部と、前記入金受付部によって現金の入金が受け付けられるごとに、前記現金収納部によって収納される現金の額を計数する現金額計数部と、を備え、前記現金残高管理部が、前記現金額計数部によって計数された現金に基づいて、前記現金収納部に収納されている現金の残高を管理することを特徴とする。
【００１４】
また、この発明にかかる現金取扱装置は、上記の発明において、前記判断部が、前記現金残高管理部によって管理されている現金の額が所定の上限額を上回ったか否かを判断し、前記喚起部が、前記判断部が現金の額が所定の上限額を上回ったと判断した場合、自装置から所定範囲内に存在する利用者の端末装置を介して、自装置の存在および自装置からの出金要求を報知することにより、自装置からの出金を喚起することを特徴とする。
【発明の効果】
【００１５】
この発明にかかる現金取扱装置によれば、利用者の利便性の向上を図ることができるという効果を奏する。
【図面の簡単な説明】
【００１６】
【図１】この発明にかかる実施の形態の現金取扱装置の外観を示す説明図である。
【図２】この発明にかかる実施の形態の現金取扱装置のハードウエア構成を示すブロック図である。
【図３】利用者の端末装置による現金取扱装置の位置特定方法について説明する説明図である。
【図４】この発明にかかる実施の形態の現金取扱装置の機能的構成を示すブロック図である。
【図５】この発明にかかる実施の形態の現金取扱装置の処理手順を示すフローチャート（その１）である。
【図６】この発明にかかる実施の形態の現金取扱装置の処理手順を示すフローチャート（その２）である。
【図７】この発明にかかる実施の形態の現金取扱装置の処理手順を示すフローチャート（その３）である。
【図８】この発明にかかる別の実施の形態の現金取扱装置の外観を示す説明図である。
【発明を実施するための形態】
【００１７】
以下に添付図面を参照して、この発明にかかる現金取扱装置の好適な実施の形態を詳細に説明する。
【００１８】
（現金取扱装置の外観）
まず、この発明にかかる実施の形態の現金取扱装置の外観について説明する。図１は、この発明にかかる実施の形態の現金取扱装置の外観を示す説明図である。図１において、この発明にかかる実施の形態の現金取扱装置１００は、アタッシュケース状の、開閉可能な箱形形状をなす筐体１０１を備えている。筐体１０１は、たとえば、金属材料を用いて形成されていることが好ましい。金属製の筐体１０１とすることにより、現金取扱装置１００の強度を確保し、現金取扱装置１００が収納する現金が筐体１０１の破壊により不正に取り出されることを防止することができる。
【００１９】
筐体１０１は、一面側が開口する略箱形形状をなす一対のケース部材１０１ａ、１０１ｂによって構成されている。現金取扱装置１００は、運搬時などには、一方のケース部材１０１ａにおける開口と他方のケース部材１０１ｂにおける開口とを合わせ、閉じた箱形状とされる。一対のケース部材１０１ａ、１０１ｂのそれぞれには、開口の一辺であって、閉じた状態において重なりあう一辺に設けられた蝶番１０２を介して、相互に回動可能に連結されている。
【００２０】
現金取扱装置１００は、使用時などには、一方のケース部材１０１ａの開口が上方を向くように、当該一方のケース部材１０１ａを設置台の上などに設置し、一方のケース部材１０１ａに対して他方のケース部材１０１ｂを蝶番１０２を回動中心として回動させ、一方のケース部材１０１ａに対して他方のケース部材１０１ｂが起立するように位置付けることによって筐体１０１を開いた状態とされる。現金取扱装置１００は、運搬時には筐体１０１を閉めた状態、使用時には筐体１０１を開いた状態とされる。図１においては、現金取扱装置１００における筐体１０１を開いた状態を示している。
【００２１】
筐体１０１には、カードリーダ１０３が設けられている。カードリーダ１０３は、カードを用いた、現金の出金処理あるいは入金処理に際して、カードに記録されたデータを読み出す。カードリーダ１０３は、ＩＣチップを備えたタイプのカードに記録されたデータの読み出しが可能なものであってもよいし、磁気テープを備えたタイプのカードに記録されたデータの読み出しが可能なものであってもよい。カードリーダ１０３は、磁気テープを備えたタイプのカードに記録されたデータの読み出しに際して、手動による当該カードのスワイプを受け付けることができる。
【００２２】
筐体１０１には、閉じた状態を維持する留め機構１０４が設けられている。留め機構１０４は、たとえば、スナップ錠（パッチン錠）によって実現することができる。また、筐体１０１には、留め機構１０４によって閉じられた状態で固定する、図示を省略する鍵が設けられている。鍵は、たとえば、シリンダー錠によって実現することができる。
【００２３】
また、鍵は、電気的に施解錠をする電子錠によって実現してもよい。電子錠は、複数の数字キーなどの各種のキーを備え、各種のキーに対する操作に応じて施解錠をする構成であってもよく、カードキーなどの専用の部材を用いて施解錠をする構成であってもよい。また、専用の部材を用いて施解錠をする電子錠においては、非接触式であっても、カードキーなどを用いて施解錠をおこなう接触式であってもよい。
【００２４】
筐体１０１には、閉じた状態において、アタッシュケースのように把持して運搬するための取っ手１０５が設けられている。取っ手１０５は、持ち運びがしやすいように、２つ設けられていてもよい。取っ手１０５には、接触センサが設けられている。筐体１０１の内側にはバッテリが設けられており、接触センサに対しては、バッテリによって常時電源が供給されている。これにより、現金取扱装置１００を運搬し取り扱う者（金融機関の従業員など）が把持していることを検知することができる。
【００２５】
接触センサは、取っ手１０５に設けられているものに限らない。接触センサは、たとえば、金融機関の従業員などが取っ手１０５を把持した状態で触れる場所以外の場所（たとえば、筐体１０１の角など）に設けられていてもよい。さらに、接触センサは、取っ手１０５部分と、筐体１０１の外表面の所定の位置と、のように異なる位置に、複数設けられていてもよい。
【００２６】
現金取扱装置１００の筐体１０１内には、入出金部１０６が設けられている。入出金部１０６は、一方のケース部材１０１ａに設けられている。入出金部１０６は、当該入出金部１０６に対して入出金される現金の真贋や金種を判定するセンサ（図２を参照）を備えている。センサからの出力信号は、当該センサの検知範囲にある現金の有無に応じて変化する。現金取扱装置１００は、センサからの出力信号に基づいて、入金される現金の真贋を判定する。
【００２７】
センサは、たとえば、判定対象が紙幣である場合は、紙幣の紙質を検知する可視光センサや、紙幣に塗布された磁気インクを検知する磁気センサ、金種の判定をおこなう赤外線センサなどによって実現することができる。また、判定部が備えるセンサは、たとえば、判定対象が硬貨である場合は、磁気誘導型近接センサなどによって実現することができる。
【００２８】
また、入出金部１０６は、現金を収納する、図示を省略する収納ケースを備えている。現金取扱装置１００は、センサからの出力信号に基づいて正規の現金であると判定された現金を、収納ケース内に収納する。現金取扱装置１００は、センサからの出力信号に基づいて、正規であると判定された現金を金種ごとに分別して収納する。
【００２９】
また、現金取扱装置１００は、たとえば、入金された現金を判定部による判定結果に基づいて分別する分別機構や、入金された現金を収納ケースまで搬送する搬送機構などを備えている。分別機構や搬送機構などの構成については、公知の技術を用いて容易に実現可能であるため、説明を省略する。
【００３０】
入出金部１０６は、現金取扱装置１００に対する現金（紙幣や硬貨）の挿入を受け付けたり、現金取扱装置１００から現金を払い出したりする入出金口１０６ｃを備えている。入出金口１０６ｃは、現金取扱装置１００が取り扱い可能な現金に応じて、一または複数設けることができる。たとえば、現金として紙幣と硬貨との双方を取り扱う場合は、紙幣用の入出金口１０６ｃと硬貨用の入出金口１０６ｃとを設けることができる。
【００３１】
入出金口１０６ｃは、取り扱いが可能な現金の種類に応じて複数設けられていてもよい。具体的には、たとえば、現金取扱装置１００が取り扱い可能な現金を紙幣のみとする場合、１０００円札の挿入を受け付けるとともに払い出しをおこなうための入出金口１０６ｃ、５０００円札の挿入を受け付けるとともに払い出しをおこなうための入出金口１０６ｃ、１万円札の挿入を受け付けるとともに払い出しをおこなうための入出金口１０６ｃ、のように、紙幣の種類ごとに複数設けてもよい。
【００３２】
現金取扱装置１００においては、取り扱いが可能な金種を限定してもよい。具体的には、たとえば、上記のように紙幣のみを取り扱いの対象としてもよく、１万円のみを取り扱いの対象としてもよい。たとえば、１万円のみを取り扱いの対象とする場合、センサは１万円札の真贋を判定するセンサのみを備え、収納ケースは１種類の紙幣を収納する構成とすればよい。
【００３３】
これによって、紙幣を分別する分別機構や紙幣別の収納空間を設ける必要がなくなり、現金取扱装置１００の軽量化を図ることができる。この発明にかかる実施の形態の現金取扱装置１００は、持ち運ぶことを目的の一つとしているため、軽量化を図ることにより運搬性の向上を図ることができる。
【００３４】
収納ケースは、筐体１０１（一方のケース部材１０１ａ）に対して、取り外し可能に設けられていてもよい。収納ケースを取り外し可能とする場合、筐体１０１に対する収納ケースの取り外し作業は、現金取扱装置１００の電源がＯＮ状態である場合にのみ可能とすることが好ましい。
【００３５】
具体的には、たとえば、電磁石を用いて、電源がＯＦＦされた状態では、筐体１０１に対する収納ケースの取り外しができないようにロックするロック機構を設けることにより実現することができる。このようなロック機構は、公知の技術を用いて容易に実現可能であるため説明を省略する。
【００３６】
また、現金取扱装置１００は、紙幣番号読取部（図２を参照）を備えている。紙幣番号読取部は、たとえば、ＣＩＳ（Ｃｏｎｔａｃｔ  Ｉｍａｇｅ  Ｓｅｎｓｏｒ）や、ＣＩＳの読み取り範囲を通過するように現金を搬送する搬送機構などによって実現することができる。ＣＩＳは、ＬＥＤ（Ｌｉｇｈｔ  Ｅｍｉｔｔｉｎｇ  Ｄｉｏｄｅ）などの光源、受光レンズ、直線状に配列されたＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどによって構成することができる。紙幣番号読取部は、ＣＩＳの読み取り範囲が、入出金口１０６ｃと収納ケースとの間であって、現金が搬送される軌道上に位置するように設けられる。
【００３７】
紙幣番号読取部は、紙幣番号の読み取り対象とする現金（紙幣）がＣＩＳの読み取り範囲を通過するように搬送するとともに、光源を発光させることによる光を当該現金に照射する。現金に照射された光は、当該現金によって反射されてＣＭＯＳイメージセンサに入射する。現金取扱装置１００においては、ＣＭＯＳイメージセンサからの出力信号に基づいて紙幣番号を取得することができる。
【００３８】
この実施の形態においては、紙幣番号の読み取りのために紙幣を搬送するモータと、入出金部１０６を構成するモータとを、１台のモータおよび当該モータを駆動制御するモータ制御回路によって兼用することができる。これにより、現金取扱装置１００の小型化や軽量化を図り、良好な運搬性の確保に寄与することができる。
【００３９】
現金取扱装置１００の筐体１０１内には、表示部１０７が設けられている。表示部１０７は、他方のケース部材１０１ｂに設けられている。これにより、現金取扱装置１００の使用時に筐体１０１を開いた状態とすると、表示部１０７を利用者に対峙させることができる。表示部１０７は、たとえば、電子インク型のディスプレイパネルを用いて実現することができる。
【００４０】
電子インク型のディスプレイは、平面上に配置された、外周面が２色に色分けされた複数の微小な球体を備えている。具体的には、各微小な球体は、たとえば、半分（半球）を白、残余の半分（半球）を黒に塗り分けられている。各微小な球体の一部は静電気を帯びている。電子インク型のディスプレイは、各微小な球体を電界によって回転させてディスプレイにおける白と黒との配置を制御することにより、白地に黒い文字を表示したり、黒字に白い文字を表示したりすることができる。電子インク型のディスプレイパネルは、公知の技術を用いて容易に実現可能であるため、説明を省略する。
【００４１】
現金取扱装置１００の筐体１０１には、現金取扱装置１００に対する各種の操作を受け付ける操作部１０８が設けられている。操作部１０８は、たとえば、表示部１０７の表面側に積層されたタッチパネルによって実現することができる。操作部１０８を、表示部１０７に積層されたタッチパネルによって実現することにより、現金取扱装置１００の小型化を図り、良好な運搬性の確保に寄与することができる。
【００４２】
また、操作部１０８を、表示部１０７に積層されたタッチパネルによって実現することにより、現金取扱装置１００の小型化および良好な運搬性を確保しつつ、多様な操作キーを実現することができる。そして、多様な操作キーを実現することにより、複雑な入力要求に対応することができる。
【００４３】
これにより、たとえば、現金取扱装置１００の動作状態の設定や、現金取扱装置１００を利用可能な状態にしたり、利用を制限する状態にするなどの重要な手続きの実行を、複雑な入力操作がおこなわれた場合に限定することができる。具体的には、これらの重要な手続きの実行を、金融機関の従業員などに制限することができる。
【００４４】
操作部１０８は、表示部１０７に積層されたタッチパネルによって実現するものに限らない。操作部１０８は、たとえば、一方のケース部材１０１ａに設けられたテンキーによって実現してもよい。操作部１０８をテンキーによって実現することにより、操作を簡略化するとともに、現金取扱装置１００の小型化や軽量化を図り、良好な運搬性の確保に寄与することができる。
【００４５】
現金取扱装置１００は、カメラ（図２を参照）を備えている。カメラは、レンズ１０９や、レンズ１０９を通して入射した光が結像される撮像素子、撮像素子から出力される電気信号に基づく画像情報を生成して記憶する画像処理回路などを備えている。撮像素子は、たとえば、入射した光に応じた明暗を電荷の量に光電変換した電気信号を出力するＣＣＤ（Ｃｈａｒｇｅ  Ｃｏｕｐｌｅｄ  Ｄｅｖｉｃｅ）などによって実現することができる。
【００４６】
たとえば、撮像素子をＣＣＤによって実現する場合、画像処理回路は、ＣＤＳ（Ｃｏｒｒｅｌａｔｅｄ  Ｄｏｕｂｌｅ  Ｓａｍｐｌｉｎｇ：相関２重サンプリング）回路、ＡＧＣ（Ａｕｔｏｍａｔｉｃ  Ｇａｉｎ  Ｃｏｎｔｒｏｌ）回路、ＡＤＣ（Ａｎａｌｏｇ／Ｄｉｇｉｔａｌ  Ｃｏｎｖｅｒｔｅｒ）によって構成されるＡＦＥ（Ａｎａｌｏｇ  Ｆｒｏｎｔ  Ｅｎｄ）や、ＤＳＰ（Ｄｉｇｉｔａｌ  Ｓｉｇｎａｌ  Ｐｒｏｃｅｓｓｏｒ）などによって構成することができる。ＡＦＥは、撮像素子（ＣＣＤ）に結像された光信号に基づくアナログ信号をデジタル化したデジタル信号を生成する。ＤＳＰは、ＡＦＥが生成したデジタル信号に基づいてＹＵＶ信号を生成する。画像処理回路の構成および処理については、公知の技術を用いて容易に実現可能であるため、説明を省略する。
【００４７】
カメラが備えるレンズ１０９は、他方のケース部材１０１ｂにおける、表示部１０７の近傍に設けられている。現金取扱装置１００を利用する利用者は、表示部１０７に表示された情報を目視しながら現金の出金操作などをおこなうため、カメラが備えるレンズ１０９を表示部１０７の近傍に設けることにより、現金取扱装置１００の利用者の顔を確実に撮影することができる。
【００４８】
これにより、現金取扱装置１００に対して不正をおこなった（あるいは、不正をおこなおうとした）利用者を確実に撮影することができる。また、カメラが備えるレンズ１０９を表示部１０７の近傍に設けることにより、現金取扱装置１００の利用者に対して「撮影（監視）されている」という意識を持たせ、現金取扱装置１００に対する不正を効果的に防止することができる。
【００４９】
筐体１０１には、残高メータ１１０が設けられている。残高メータ１１０は、たとえば、公知の各種の表示装置によって実現することができる。残高メータ１１０を実現する表示装置は、たとえば、現金取扱装置１００が収納可能な現金の上限額に対する、現金取扱装置１００が現時点で収納している現金の額の割合を、メータ（インジケータ）状に表示する。割合を、インジケータ状に示すことにより、第三者に、現金取扱装置１００に収納されている現金の具体的な額を知らせることなく、現金取扱装置１００を運搬し取り扱う者に、現金取扱装置１００が現時点で収納している現金の多少を案内することができる。
【００５０】
あるいは、残高メータ１１０を実現する表示装置は、たとえば、現金取扱装置１００が現時点で収納している現金の額を直接表示するものであってもよい。この場合、現金取扱装置１００が現時点で収納している現金の額は、操作部１０８に対して所定の入力操作がおこなわれた場合、あるいは、当該所定の入力操作がおこなわれてから所定時間以内、などに限定して表示するように、残高メータ１１０による報知のタイミングや期間を制限してもよい。
【００５１】
あるいは、残高メータ１１０は、現金取扱装置１００が現時点で収納している現金の額、あるいは、上記の割合に応じて点灯したり消灯したりするＬＥＤランプなどの発光体によって実現してもよい。具体的には、たとえば、現金取扱装置１００が現時点で収納している現金の額が所定の下限額を下回った場合に点灯したり、上記の割合が所定の値を下回った場合に点灯したりすることによって、現金取扱装置１００が現時点で収納している現金の額、あるいは、上記の割合を案内してもよい。残高メータ１１０を、このような発光体によって実現することにより、現金取扱装置１００の小型化や軽量化を図り、良好な運搬性の確保に寄与することができる。
【００５２】
あるいは、残高メータ１１０を複数のＬＥＤランプによって実現してもよい。この場合、残高メータ１１０は、現金取扱装置１００が現時点で収納している現金の額、あるいは、上記の割合に応じて、点灯させるＬＥＤランプを異ならせ、ＬＥＤランプを選択的に点灯させることによって、現金取扱装置１００が現時点で収納している現金の額、あるいは、上記の割合を案内してもよい。
【００５３】
（現金取扱装置１００のハードウエア構成）
つぎに、この発明にかかる実施の形態の現金取扱装置１００のハードウエア構成について説明する。図２は、この発明にかかる実施の形態の現金取扱装置１００のハードウエア構成を示すブロック図である。
【００５４】
図２において、この発明にかかる実施の形態の現金取扱装置１００は、ＣＰＵ２０１と、ＲＯＭ２０２と、ＲＡＭ２０３と、ブザー２０４と、振動センサ２０５と、紙幣番号読取部２０６と、カメラ２０７と、メモリ２０８と、位置検出部２０９と、無線信号送出部２１０と、通信Ｉ／Ｆ２１１と、プリンタ２１２と、カードリーダ１０３と、入出金部１０６と、表示部１０７と、操作部１０８と、残高メータ１１０と、を備えている。コンピュータ装置が備える各部２０１〜２１２、１０３、１０６〜１０８、１１０は、バス２００によってそれぞれ接続されている。
【００５５】
ＣＰＵ２０１は、現金取扱装置１００全体の制御をつかさどる。ＣＰＵ２０１は、時間の経過や日時を計時するタイマ機能を備えている。ＲＯＭ２０２は、ブートプログラムや各種のプログラムなどを記憶している。ＲＡＭ２０３は、ＣＰＵ２０１のワークエリアとして使用される。すなわちＣＰＵ２０１は、ＲＡＭ２０３をワークエリアとしながらＲＯＭ２０２に記憶された各種のプログラムを実行する。
【００５６】
入出金部１０６は、上記のようにセンサ１０６ａやモータ制御回路１０６ｂを備えている。入出金部１０６のセンサ１０６ａからの出力信号は、ＣＰＵ２０１に入力される。ＣＰＵ２０１は、入出金部１０６のセンサ１０６ａからの出力信号に基づいて、現金の真贋あるいは金種の判定をおこなう。そして、ＣＰＵ２０１は、入出金部１０６のセンサ１０６ａからの出力信号すなわち真贋あるいは金種の判定結果に基づいて、モータ制御回路１０６ｂを駆動制御し、モータ制御回路１０６ｂを介して入出金部１０６のモータを駆動制御する。
【００５７】
具体的には、ＣＰＵ２０１は、たとえば、判定対象とする現金が正規の貨幣であった場合、当該現金を収納ケースに向けて搬送するようにモータ制御回路１０６ｂを駆動制御する。また、具体的には、ＣＰＵ２０１は、たとえば、判定対象とする現金が正規の貨幣ではない場合、当該判定対象を入出金口１０６ｃから現金取扱装置１００の外部へ排出したり、所定のスタッカーに搬送したりするようにモータ制御回路１０６ｂを駆動制御する。
【００５８】
ブザー２０４は、現金取扱装置１００においてエラーが発生した場合などに所定のブザー（警報）を出力する。ブザー２０４は、たとえば圧電ブザー、電子ブザー、電磁ブザーなど公知の各種のブザー２０４によって実現することができる。
【００５９】
具体的には、ブザー２０４は、たとえば、現金取扱装置１００が現時点で収納している現金の額が所定の下限額を下回った場合、あるいは、上記の割合が所定の値を下回った場合に、所定のブザー２０４を出力する。また、具体的には、ブザー２０４は、たとえば、判定対象とする現金が正規の貨幣ではない場合に、所定のブザー２０４を出力してもよい。
【００６０】
ブザー２０４によるブザー２０４（警報）の出力は、現金取扱装置１００に対する所定の操作があった場合に停止することができる。ブザー２０４の出力を停止するための所定の操作は、たとえば、操作部１０８に対する所定の入力操作によって実現することができる。
【００６１】
あるいは、現金取扱装置１００においては、取っ手１０５部分と筐体１０１の外表面の所定の位置とのように異なる位置に、複数の接触センサを設けることにより、たとえば、「取っ手１０５を３回握ってから、筐体１０１の角を２回なでる」など特定のパターンで接触センサに接触したことが検知された場合に、ブザー２０４の出力を停止するようにしてもよい。
【００６２】
振動センサ２０５は、バッテリから常時電源が供給されており、現金取扱装置１００（筐体１０１）の振動の有無および振動の強さを検知する。振動センサ２０５は、公知の各種の振動センサ２０５を用いることができる。ブザー２０４は、振動センサ２０５の検知結果に基づいて、現金取扱装置１００に対して所定の強さ以上の振動が加えられた場合に、ブザー２０４を出力する。
【００６３】
これにより、たとえば、現金取扱装置１００が奪取されそうになって、金融機関の従業員などと強盗との間で現金取扱装置１００を引っ張り合う、強盗が現金取扱装置１００を持って走って逃げるなどして現金取扱装置１００に対して所定の強さ以上の振動が加えられた場合に、ブザー２０４によってブザー音声を出力することができる。
【００６４】
紙幣番号読取部２０６は、上記のようにＣＩＳを備えている。ＣＩＳが備えるＣＭＯＳイメージセンサからの出力信号は、ＣＰＵ２０１に入力される。ＣＰＵ２０１は、ＣＭＯＳイメージセンサからの出力信号に基づいて、当該出力信号に基づく画像の解析をおこない、紙幣番号を認識する処理をおこなう。ＣＭＯＳイメージセンサからの出力信号に基づく画像の解析は、ＣＰＵ２０１がおこなうものに限らない。ＣＭＯＳイメージセンサからの出力信号に基づく画像の解析は、たとえば、紙幣番号読取部２０６に画像認識回路を設け、当該画像認識回路においておこなうようにしてもよい。
【００６５】
カメラ２０７は、上記のように、ＣＣＤや画像処理回路を備えている。カメラ２０７において、レンズ１０９を介してＣＣＤに入射した光は、ＣＣＤにおいて光電変換され、アナログの電気信号とされて画像処理回路に入力される。画像処理回路は、アナログ信号に基づいてデジタル信号を生成し、さらに当該デジタル信号に基づいてＹＵＶ信号を生成する。画像処理回路が生成したＹＵＶ信号は、ＣＰＵ２０１に出力される。あるいは、画像処理回路が生成したＹＵＶ信号は、ＣＰＵ２０１を介して、あるいは直接メモリ２０８に出力されるものであってもよい。
【００６６】
ＣＰＵ２０１は、操作部１０８に対する操作がおこなわれている間、継続してカメラ２０７を駆動制御して撮像（動画撮影）をおこなってもよく、現金の入出金の操作が開始されてから完了するまでの間の任意のタイミングで撮像（静止画撮像）をおこなってもよい。あるいは、ＣＰＵ２０１は、現金の入出金の操作が開始されてから完了するまでの間の任意のタイミングで、複数回、撮像（静止画撮像）をおこなってもよい。これにより、動画を撮影する場合と比較して現金取扱装置１００における電池の消耗を抑制するとともに、複数枚の静止画像により操作者を確実に特定可能な画像データを得ることができる。
【００６７】
また、ＣＰＵ２０１は、収納ケースの取り外しや取り付けに際しても、カメラ２０７を駆動し、撮像するようにしてもよい。この実施の形態の現金取扱装置１００において、現金取扱装置１００の電源がＯＮ状態である場合にのみ筐体１０１に対する収納ケースの取り外し作業を可能とした場合、収納ケースの取り外しや取り付けに際して撮像することにより、現金を収納する収納ケースが不正に持ち去られることを防止することができる。
【００６８】
メモリ２０８は、ＣＰＵ２０１によって制御され、たとえば、現金取扱装置１００が収納する現金の額に関する情報を記憶する。また、メモリ２０８は、現金取扱装置１００における現金の入金および出金をおこなうごとに、当該入金および出金をおこなった日時に関する情報を、現金の額に関する情報に関連付けて記憶してもよい。
【００６９】
メモリ２０８は、現金取扱装置１００における現金の入金および出金をおこなうごとに、先に記憶されている現金の額に関する情報を書き換えて、最新の現金の額に関する情報を記憶する。メモリ２０８は、現金取扱装置１００における現金の入金および出金をおこなうごとに、先に記憶されている現金の額に関する情報を書き換えず、最新の現金の額に関する情報を追加して記憶してもよい。
【００７０】
また、メモリ２０８は、紙幣番号読取部２０６が撮像し、ＣＰＵ２０１の処理によって解析された紙幣番号を記憶する。また、メモリ２０８は、紙幣番号ごとに、当該紙幣番号によって識別される紙幣が入金された日時（入金日時）に関する情報を記憶してもよい。紙幣番号や入金日時に関する情報は、累積して記憶する。すなわち、一旦入金された紙幣が出金された場合も、当該紙幣の紙幣番号や入金日時に関する情報を消去せずに記憶する。
【００７１】
また、メモリ２０８は、カメラ２０７が撮像し、ＣＰＵ２０１の処理によって解析された画像、すなわち、現金取扱装置１００における現金の入金および出金をおこなった人物の画像を記憶する。また、メモリ２０８は、紙幣番号ごとに、当該紙幣番号によって識別される紙幣が入金された日時（入金日時）に関する情報を記憶してもよい。紙幣番号や入金日時に関する情報は、累積して記憶する。すなわち、一旦入金された紙幣が出金された場合も、当該紙幣の紙幣番号や入金日時に関する情報を消去せずに記憶する。
【００７２】
カードリーダ１０３は、現金の出金処理あるいは入金処理に際して、カードに記録されたデータを読み出し、読み出したデータをＣＰＵ２０１に出力する。ＣＰＵ２０１は、カードリーダ１０３から出力されたデータに基づいて、現金の出金処理あるいは入金処理をおこなう利用者の識別情報を特定する。利用者の識別情報は、たとえば、カード番号によって実現することができる。このカード番号は、カード（利用者）ごとに固有の情報であって、たとえば、カードの発行元となる金融機関によって割り当てられる。
【００７３】
操作部１０８は、当該操作部１０８に対する入力操作に応じた信号を、ＣＰＵ２０１に出力する。ＣＰＵ２０１は、操作部１０８から出力された信号に基づいて、操作内容を判断し、操作内容に応じた処理をおこなう。
【００７４】
位置検出部２０９は、現金取扱装置１００自体が存在する位置（現金取扱装置１００の現在位置）を検出し、検出結果をＣＰＵ２０１に出力する。具体的には、位置検出部２０９は、たとえば、ＧＰＳ（Ｇｌｏｂａｌ  Ｐｏｓｉｔｉｏｎｉｎｇ  Ｓｙｓｔｅｍ）を利用することによって実現することができる。ＧＰＳは、ＧＰＳ衛星からの電波を受信し、ＧＰＳ衛星と現金取扱装置１００との幾何学的位置を求めるものであり、ＧＰＳを利用することによって地球上どこでも現金取扱装置１００の現在位置を計測することができる。
【００７５】
ＧＰＳにおいて用いられる電波としては、１．５７５．４２ＭＨｚの搬送波で、Ｃ／Ａ（Ｃｏａｒｓｅ  ａｎｄ  Ａｃｃｅｓｓ）コードおよび航法メッセージが乗っているＬ１電波を用いておこなわれる。Ｃ／Ａコードはビット率１．０２３Ｍｂｐｓで、コードの長さは１０２３ｂｉｔ＝１ｍｓである。また、航法メッセージはビット率５０ｂｐｓで、コードの長さは、サブフレームが３００ｂｉｔ＝６ｓであり、メインフレームが１５００ｂｉｔ＝３０ｓであり、５サブフレームが１メインフレームであり、２５メインフレームが１マスターフレームである。
【００７６】
無線信号送出部２１０は、ビーコンなどによるパケット信号を、現金取扱装置１００の周囲に送出する。パケット信号は、現金取扱装置１００の現在位置を示す情報を含んでいる。パケット信号は、電波または赤外線によって送出される。送出されたパケット信号は、現金取扱装置１００の周囲に存在する利用者の端末装置において受信される。
【００７７】
この実施の形態において、現金取扱装置１００は、パケット信号（電波または赤外線）を送出するだけの無線局であって、送出されたパケット信号を受信した利用者の端末装置が、当該パケット信号に基づいて自装置に対する現金取扱装置１００の位置（方位や方向および現金取扱装置１００までの距離など）を特定し、特定した現金取扱装置１００の位置を報知する。この実施の形態において、利用者の端末装置には、現金取扱装置１００から送出されたパケット信号を受信し、当該パケット信号に基づいて現金取扱装置１００の現在位置を特定するアプリケーションプログラムがあらかじめインストールされているものとする。
【００７８】
通信Ｉ／Ｆ２１１は、現金取扱装置１００は、外部装置とのインターフェイスとして機能し、外部装置との間におけるデータの入出力を制御する。現金取扱装置１００は、たとえば、金融機関のサーバコンピュータなどと通信をおこない、メモリ２０８に記憶した各種のデータを当該サーバコンピュータに送信したり、サーバコンピュータから送信されたデータを受信してもよい。
【００７９】
プリンタ２１２は、操作部１０８に対する入力操作に応じて現金取扱装置１００がおこなった入金や出金のサービスの結果を記録媒体に印刷した明細書を出力する。具体的には、プリンタ２１２は、たとえば、操作部１０８に対して預貯金口座から現金を引き出す入力操作がおこなわれた場合に、預貯金残高や取引明細などを印刷した明細書を所定の明細書発行口から発行する。記録媒体は、所定幅の長尺状のロール紙を用いることができる。記録媒体として長尺状のロール紙を用いる場合、プリンタ２１２はロール紙を所定の位置で切断するためのカッタ機構を備えていてもよい。
【００８０】
プリンタ２１２は、たとえば感熱発色性を備えた記録媒体に対する印刷をおこなうサーマルプリンタなどによって実現することができる。プリンタ２１２は、サーマルプリンタによって実現する場合、印刷するデータを展開するメモリ、記録媒体を搬送するモータ、発熱素子を備えたサーマルヘッドなどを備えて構成される。
【００８１】
（利用者の端末装置による現金取扱装置１００の位置特定方法）
つぎに、利用者の端末装置による現金取扱装置１００の位置特定方法について説明する。図３は、利用者の端末装置による現金取扱装置１００の位置特定方法について説明する説明図である。
【００８２】
この実施の形態において、ビーコンは、たとえば、ｉＢｅａｃｏｎによって実現することができる。ｉＢｅａｃｏｎ（登録商標）は、ｉＯＳ（登録商標）の位置情報サービスを拡張する新しい技術であって、ｉＢｅａｃｏｎによるビーコン情報を発するコンピュータ装置の設置場所に近づいたり離れたりしたことを、ｉＯＳが、利用者の端末装置にインストールされている所定のアプリケーションを介して当該利用者に通知することができる。ｉＢｅａｃｏｎ  では、位置情報を明らかにするために緯度と経度ではなく、ＢＬＥ（Ｂｌｕｅｔｏｏｔｈ  Ｌｏｗ  Ｅｎｅｒｇｙ）信号を用いている。利用者の端末装置は、ＢＬＥ信号を検出する。なお、Ｂｌｕｅｔｏｏｔｈは登録商標である。
【００８３】
図３において、利用者の端末装置による現金取扱装置１００の位置特定に際しては、ビーコン情報を管理するビーコン情報管理サーバ３１０は、まず、（１）現金取扱装置１００に対してビーコン情報を発信する。ビーコン情報管理サーバ３１０は、複数のビーコン情報管理サーバ３１０を管理するサーバコンピュータと接続されている。
【００８４】
ビーコン情報は、（２）ｕｕｉｄ（Ｕｎｉｖｅｒｓａｌｌｙ  Ｕｎｉｑｕｅ  Ｉｄｅｎｔｉｆｉｅｒ）、ｍａｊｏｒ（ｍａｊｏｒ  ｖａｌｕｅ）、ｍｉｎｏｒ（ｍｉｎｏｒ  ｖａｌｕｅ）を含んでいる。ｕｕｉｄは、Ｄｉｓｔｒｉｂｕｔｅｄ  Ｃｏｍｐｕｔｉｎｇ  Ｅｎｖｉｒｏｎｍｅｎｔ（ＤＣＥ）の一部としてＯｐｅｎ  Ｓｏｆｔｗａｒｅ  Ｆｏｕｎｄａｔｉｏｎ（ＯＳＦ）が標準化した、ソフトウェアを一意に識別するための識別子であって、ビーコンの分散システム上においていずれかのコンピュータ装置が統制を取らなくてもビーコン情報の送信元を一意に特定することができる。ｍａｊｏｒは、１６ビットの符号無し整数値であって、ＵＵＩＤが同じビーコンを区別するために用いられる。ｍｉｎｏｒは、ｍａｊｏｒと同じく１６ビットの符号無し整数値であって、ＵＵＩＤおよびｍａｊｏｒ  ｖａｌｕｅが同じビーコンを区別するために用いられる。
【００８５】
ビーコン情報を受信した現金取扱装置１００は、受信したビーコン情報に基づいて、無線信号送出部２１０によりビーコン情報を送出する。現金取扱装置１００が送出するビーコン情報は、自装置にあらかじめ割り当てられたＩＤ番号と、入金要求または出金要求に基づいて生成されるｍｉｎｏｒを含んでいる。
【００８６】
つぎに、（３）利用者の端末装置３００は、現金取扱装置１００から送信されたビーコン情報を受信すると、受信したビーコン情報に基づいて、（４）ビーコン情報管理サーバ３１０に対して、当該ビーコン情報の送出元の現金取扱装置１００の位置する領域の問い合わせをおこなう。そして、（５）ビーコン情報管理サーバ３１０は、利用者の端末装置３００からの問い合わせに応じて該当する情報を送信する。
【００８７】
これにより、利用者の端末装置３００を介して、現金取扱装置１００の位置する領域を利用者に通知することができる。ｉＢｅａｃｏｎを利用した現金取扱装置１００の位置の特定は、公知の技術を用いて容易に実現可能であるため詳細な説明を省略する。
【００８８】
（現金取扱装置１００の機能的構成）
つぎに、この発明にかかる実施の形態の現金取扱装置１００の機能的構成について説明する。図４は、この発明にかかる実施の形態の現金取扱装置１００の機能的構成を示すブロック図である。
【００８９】
図４において、現金取扱装置１００の機能は、現金残高管理部４０１と、現金収納部４０２と、指示受付部４０３と、出金制御部４０４と、入金受付部４０５と、現金額計数部４０６と、判断部４０７と、喚起部４０８と、によって実現される。現金取扱装置１００の機能を実現する各部４０１〜４０８は、筐体１０１に設けられ、当該筐体１０１とともに移動することができる。
【００９０】
現金残高管理部４０１は、記憶部４０１ａを備えている。記憶部４０１ａは、現金取扱装置１００においておこなった入金の処理や出金の処理などの取り引きに関する情報（取引情報）を記憶する。記憶部４０１ａは、たとえば、メモリ２０８によって実現することができる。また、記憶部４０１ａは、たとえば、現金取扱装置１００への入金や現金取扱装置１００からの出金が必要な場合に、現金取扱装置１００を運搬し取り扱う者が迅速に該当する金融機関に移動することができるように、地図情報などを記憶していてもよい。
【００９１】
現金残高管理部４０１は、出金制御部４０４の駆動制御によって出金された現金に基づいて、現金収納部４０２に収納されている現金の残高を管理する。この実施の形態においては、ＣＰＵ２０１、ＲＯＭ２０２、ＲＡＭ２０３によって、現金残高管理部４０１の機能を実現することができる。
【００９２】
現金収納部４０２は、現金を出金可能に収納する。現金収納部４０２は、筐体１０１内に設けられることが好ましい。現金収納部４０２は、少なくとも収納ケースが、外部から直接視認することが難しい位置であって、たとえば、筐体１０１を構成する一方のケース部材１０１ａの中に設けられていることが好ましい。現金収納部４０２を、筐体１０１の内側であって外部から直接視認することが難しい位置に設けることにより、現金を収納する収納ケースの盗難や強盗の発生を抑制する効果が期待できる。
【００９３】
この実施の形態においては、収納ケース、現金の真贋や金種を判定するセンサ１０６ａ、分別機構、搬送機構などにより構成される入出金部１０６、および、これらを制御するＣＰＵ２０１、ＲＯＭ２０２、ＲＡＭ２０３によって、現金収納部４０２の機能を実現することができる。
【００９４】
指示受付部４０３は、たとえば、所定額の現金を出金する出金指示や、現金の入金を受け付ける入金指示の操作を受け付ける。また、指示受付部４０３は、出金指示とともに、出金する現金の額を指定する操作を受け付ける。出金指示は、あらかじめ指定された指定額の出金を指示するものであってもよい。指定額は、「１０００円」、「１万円」などのように、現金取扱装置１００を管理する金融機関などによって任意に設定することができる。この場合、利用者は、出金指示の操作をおこなうだけの簡易な操作によって、指定額の現金を手にすることができる。
【００９５】
また、指示受付部４０３は、たとえば、金融機関において、金融機関の従業員などが収納ケースに現金を補充した場合に、補充した現金の額、あるいは、現金を補充した時点において収納ケースに収納されている現金の額を入力する操作を受け付ける。これにより、センサ１０６ａによって検知されない、入出金口１０６ｃを経由せずに収納ケースから現金が出し入れされた場合にも、収納ケースに収納される現金の額を常に正確に管理することができる。
【００９６】
この実施の形態においては、操作部１０８、および、操作部１０８を制御するＣＰＵ２０１、ＲＯＭ２０２、ＲＡＭ２０３によって、指示受付部４０３の機能を実現することができる。さらに、指示受付部４０３の機能は、操作部１０８の操作位置を案内する表示部１０７を含めて実現されるものであってもよい。
【００９７】
出金制御部４０４は、指示受付部４０３が出金指示を受け付けた場合、当該出金指示に基づいて、当該現金収納部４０２に収納された現金のうち所定額の現金を出金するよう現金収納部４０２を駆動制御する。具体的には、出金制御部４０４は、ＣＰＵ２０１から現金収納部４０２を構成する各部に対して制御信号を出力することにより、出金指示によって特定される額の現金を計数し、計数した現金を入出金口１０６ｃから現金収納部４０２の外へ送り出す。この実施の形態においては、ＣＰＵ２０１、ＲＯＭ２０２、ＲＡＭ２０３によって、出金制御部４０４の機能を実現することができる。
【００９８】
入金受付部４０５は、現金収納部４０２に対する現金の入金を受け付ける。具体的には、たとえば、操作部１０８が入金指示の操作を受け付け、かつ、センサ１０６ａが入出金口１０６ｃにおける現金を検知した場合に、センサ１０６ａからの出力信号に基づいてＣＰＵ２０１によって金種を判定するとともに入金された現金の額を計数し、さらに、ＣＰＵ２０１から現金収納部４０２を構成する各部に対して制御信号を出力し、入金された正規の現金を入出金口１０６ｃから現金収納部４０２内へ搬送する。この実施の形態においては、入出金部１０６、操作部１０８、ＣＰＵ２０１、ＲＯＭ２０２、ＲＡＭ２０３などによって、入金受付部４０５の機能を実現することができる。
【００９９】
現金額計数部４０６は、出金制御部４０４の駆動制御によって現金が出金されるごとに、出金制御部４０４の駆動制御によって出金された現金の額に基づいて、現金収納部４０２に収納されている現金の額を計数する。出金指示に基づいて出金した現金の額と、出金する前に現金収納部４０２が収納していた現金の額と、に基づいて、現金収納部４０２によって収納される現金の額を計数する。上記の現金残高管理部４０１は、現金額計数部４０６によって計数された現金に基づいて、現金収納部４０２に収納されている現金の残高（現金の額）を管理する。
【０１００】
また、現金額計数部４０６は、入金受付部４０５によって現金の入金が受け付けられるごとに、現金収納部４０２によって収納される現金の額を計数する。現金額計数部４０６は、現金の入金に際して入金受付部４０５によって受け付けられた、入金された現金の額と、入金を受け付ける前に現金収納部４０２が収納していた現金の額と、に基づいて、現金収納部４０２によって収納される現金の額を計数する。この実施の形態においては、ＣＰＵ２０１、ＲＯＭ２０２、ＲＡＭ２０３などによって、現金額計数部４０６の機能を実現することができる。
【０１０１】
上記のように、現金取扱装置１００においては、金融機関において、金融機関の従業員などが収納ケースに現金を補充した場合、補充した現金の額、あるいは、現金を補充した時点において収納ケースに収納されている現金の額が入力されるため、現金額計数部４０６による現金の額の計数に際しては、入金された現金の額と、入力された額とを考慮する。
【０１０２】
判断部４０７は、現金額計数部４０６によって計数された現金の額に基づいて、現金収納部４０２に収納されている現金の額が所定の下限額を下回ったか否かを判断する。所定の下限額は、現金取扱装置１００に対する入金が必要と判断される額であって、たとえば、現金取扱装置１００を管理する金融機関などによって任意に設定することができる。また、たとえば、出金指示に応じて出金する現金の額が指定額とされている場合、指定額を所定の下限額とすることができる。この実施の形態においては、ＣＰＵ２０１、ＲＯＭ２０２、ＲＡＭ２０３などによって、判断部４０７の機能を実現することができる。
【０１０３】
現金取扱装置１００は、出金のみをおこなう態様で用いてもよい。このように現金取扱装置１００を出金のみをおこなう態様で用いる場合、判断部４０７は、出金制御部４０４の駆動制御によって出金された現金の額に基づいて、現金収納部４０２に収納されている現金の額が所定の下限額を下回ったか否かを判断する。
【０１０４】
また、判断部４０７は、現金額計数部４０６によって計数された現金の額に基づいて、現金収納部４０２に収納されている現金の額が所定の上限額を上回ったか否かを判断する。所定の上限額は、現金取扱装置１００に対する入金が必要と判断される額であって、たとえば、現金取扱装置１００を管理する金融機関などによって任意に設定することができる。
【０１０５】
喚起部４０８は、判断部４０７によって判定された判定結果に基づいて、現金収納部４０２に収納されている現金の額が所定の下限額を下回った場合、自装置に対する入金を喚起する。喚起部４０８は、たとえば、自装置から所定範囲内に存在する利用者の端末装置３００を介して、自装置の存在および自装置への入金要求を報知することにより、自装置に対する入金を喚起する。具体的には、たとえば、上記のようにｍｉｎｏｒに自装置のＩＤと入金要求とを含むビーコン情報を、無線信号送出部２１０から送出し、当該ビーコン情報を受信した利用者の端末装置３００において、自装置に対する入金を要求するメッセージを表示させることによって自装置に対する入金を喚起することができる。
【０１０６】
あるいは、喚起部４０８は、所定の金融機関への移動を喚起することにより、自装置に対する入金を喚起するものであってもよい。具体的には、たとえば、残高メータ１１０を実現する表示装置に、現金取扱装置１００が現時点で収納している現金の額、あるいは、上記の割合を、メータ（インジケータ）状に表示することによって、自装置に対する入金を喚起することができる。
【０１０７】
また、喚起部４０８は、現金額計数部４０６によって計数された現金の額に基づいて、現金収納部４０２に収納されている現金の額が所定の上限額を上回ったと判断した場合、自装置から所定範囲内に存在する利用者の端末装置３００を介して、自装置の存在および自装置からの出金要求を報知する。喚起部４０８は、たとえば、上記の入金要求の報知と同様に、自装置から所定範囲内に存在する利用者の端末装置３００を介して、自装置の存在および自装置への出金要求を報知することにより、自装置からの出金を喚起する。この実施の形態においては、残高メータ１１０、ＣＰＵ２０１、ＲＯＭ２０２、ＲＡＭ２０３などによって、喚起部４０８の機能を実現することができる。
【０１０８】
（現金取扱装置１００の処理手順）
つぎに、この発明にかかる実施の形態の現金取扱装置１００の処理手順について説明する。図５、図６および図７は、この発明にかかる実施の形態の現金取扱装置１００の処理手順を示すフローチャートである。図５のフローチャートに示した処理手順は、現金取扱装置１００の電源をＯＮ状態とする操作を受け付けた場合に開始される。
【０１０９】
図５のフローチャートにおいて、まず、起動処理をおこなう（ステップＳ５０１）。ステップＳ５０１においては、たとえば、ブートプログラムの起動、各センサ１０６ａの接続状態の確認などをおこなう。つぎに、メモリ２０８を参照して、前回電源ＯＦＦ時の状態を抽出する（ステップＳ５０２）。
【０１１０】
つぎに、ステップＳ５０２において抽出した、前回電源ＯＦＦ時の状態に基づいて、前回電源をＯＦＦする入力操作を受け付けた時点において、筐体１０１から収納ケースが取り外されていたか否かを判断する（ステップＳ５０３）。ステップＳ５０３において、前回電源をＯＦＦする入力操作を受け付けた時点において、筐体１０１から収納ケースが取り外されていなかった、すなわち、収納ケースが筐体１０１に取り付けられた状態で電源をＯＦＦした場合（ステップＳ５０３：Ｎｏ）、一連の処理を終了する。
【０１１１】
一方、ステップＳ５０３において、前回電源をＯＦＦする入力操作を受け付けた時点において、筐体１０１から収納ケースが取り外されていた場合（ステップＳ５０３：Ｙｅｓ）、筐体１０１に収納ケースが取り付けられるまで待機する（ステップＳ５０４：Ｎｏ）。そして、ステップＳ５０４において、筐体１０１に収納ケースが取り付けられた場合（ステップＳ５０４：Ｙｅｓ）、後述する図６におけるステップＳ６０４へ移行する。
【０１１２】
図６のフローチャートに示した処理は、現金取扱装置１００の電源がＯＮされている間、常時実行される。図６のフローチャートにおいて、まず、筐体１０１から収納ケースが取り外されたか否かを判断する（ステップＳ６０１）。ステップＳ６０１においては、たとえば、筐体１０１に対して収納ケースが取り付けられているか否かに応じて出力が変化する、図示を省略する着脱センサからの出力信号に基づいて、筐体１０１から収納ケースが取り外されたか否かを判断することができる。
【０１１３】
ステップＳ６０１において、筐体１０１から収納ケースが取り外されていない場合（ステップＳ６０１：Ｎｏ）、取り外されたと判断するまで待機する。一方、ステップＳ６０１において、筐体１０１から収納ケースが取り外された場合（ステップＳ６０１：Ｙｅｓ）、表示部１０７を駆動制御して、当該表示部１０７に、「収納ケースが取り外されています」などのメッセージを表示する（ステップＳ６０２）。ステップＳ６０２においては、たとえば、表示部１０７に、「収納ケースが取り外されています。ご確認ください。」などのメッセージを表示してもよい。
【０１１４】
つぎに、ステップＳ６０１：Ｙｅｓにおいて筐体１０１から取り外されたと判断された収納ケースが筐体１０１に取り付けられたか否かを判断する（ステップＳ６０３）。ステップＳ６０３においては、上述したステップＳ６０１と同様に、着脱センサからの出力信号に基づいて、筐体１０１に収納ケースが取り付けられたか否かを判断することができる。ステップＳ６０３において、収納ケースが筐体１０１に取り付けられていない場合（ステップＳ６０３：Ｎｏ）、ステップＳ６０７へ移行する。
【０１１５】
一方、ステップＳ６０３において、収納ケースが筐体１０１に取り付けられた場合（ステップＳ６０３：Ｙｅｓ）、表示部１０７を駆動制御して、当該表示部１０７に、「金額を入力してください」などのメッセージを表示する（ステップＳ６０４）。ステップＳ６０４においては、たとえば、表示部１０７に、「現在、収納ケースに収納されている現金の合計額を入力してください」などのメッセージを表示してもよい。
【０１１６】
また、ステップＳ６０４においては、「金額を入力してください」などのメッセージとともに、収納ケースに収納されている現金の額の入力欄を表示してもよい。これにより、現金取扱装置１００を運搬し取り扱う者は、収納ケースに収納されている現金の額の入力が求められていることを容易に理解することができ、入力を失念することにより、以降、収納ケースに収納されているとして記憶する現金の額が、実際に収納ケースに収納されている現金の額と相違してしまうことを回避できる。
【０１１７】
つぎに、収納ケースに収納されている現金の額の入力を受け付けたか否かを判断する（ステップＳ６０５）。ステップＳ６０５においては、たとえば、上記のように、「金額を入力してください」などのメッセージとともに表示部１０７に表示した、収納ケースに収納されている現金の額の入力欄への数字の入力および確定の操作を受け付けたか否かを判断することによって、収納ケースに収納されている現金の額の入力を受け付けたか否かを判断することができる。
【０１１８】
これにより、一旦、筐体１０１から取り外されて、再度取り付けられた収納ケースに収納されている現金の額が、実際に収納ケースに収納されている現金の額と相違してしまうことにより、以下に説明する「入金の要求」や「出金の要求」を送出するタイミングが遅くなり、現金取扱装置１００の有用性が低下することを防止できる。
【０１１９】
ステップＳ６０５において、一旦、筐体１０１から取り外されて、再度取り付けられた収納ケースに収納されている、現在の現金の額の入力を受け付けた場合（ステップＳ６０５：Ｙｅｓ）、現金取扱装置１００が収納している現在の現金の額を更新して（ステップＳ６０６）、一連の処理を終了する。ステップＳ６０６においては、たとえば、メモリ２０８における、現在の現金の額を更新する。
【０１２０】
ステップＳ６０７においては、基準となる時点から、所定時間が経過したか否かを判断する（ステップＳ６０７）。たとえば、ステップＳ６０５において、現在の現金の額の入力を受け付けていない場合（ステップＳ６０５：Ｎｏ）、ステップＳ６０７においては、ステップＳ６０３：Ｙｅｓにおいて収納ケースが筐体１０１に取り付けられてから所定時間が経過したか否かを判断する。あるいは、たとえば、ステップＳ６０３において収納ケースが筐体１０１に取り付けられていない場合（ステップＳ６０３：Ｎｏ）、ステップＳ６０７においては、収納ケースが筐体１０１に取り付けられてから所定時間が経過したか否かを判断する。
【０１２１】
ステップＳ６０７において、所定時間が経過した場合（ステップＳ６０７：Ｙｅｓ）、ブザー２０４を制御してブザー音声を出力し（ステップＳ６０８）、現金取扱装置１００に対する、ブザー２０４の出力を解除する解除操作を受け付けるまで待機する（ステップＳ６０９：Ｎｏ）。ブザー２０４の出力を解除する解除操作を受け付けるまでは、ステップＳ６０８に戻り、ブザー２０４の出力を継続する。このように、ブザー２０４の出力を解除する解除操作を受け付けるまでは、ブザー２０４の出力を継続しておこなうことにより、現金取扱装置１００を不正に使用する者を排除し、セキュリティ性の確保を図ることができる。ステップＳ６０９において、解除操作を受け付けた場合（ステップＳ６０９：Ｙｅｓ）、ブザー２０４の出力を解除するなどの所定の処理をおこなって一連の処理を終了する。
【０１２２】
一方、ステップＳ６０７において、所定時間が経過していない場合（ステップＳ６０７：Ｎｏ）、現金取扱装置１００に対して電源ＯＦＦの操作があったか否かを判断する（ステップＳ６１０）。ステップＳ６１０においては、基準となる時点から、所定時間が経過するまでの間に、現金取扱装置１００に対する電源ＯＦＦの操作があったか否かを判断する。
【０１２３】
ステップＳ６１０において、基準となる時点から、所定時間が経過するまでの間に、現金取扱装置１００に対する電源ＯＦＦの操作があった場合（ステップＳ６１０：Ｙｅｓ）、電源ＯＦＦの操作があった時点における現金取扱装置１００の状態を記憶し（ステップＳ６１１）、その後現金取扱装置１００の電源をＯＦＦにして（ステップＳ６１２）、一連の処理を終了する。
【０１２４】
一方、ステップＳ６１０において、基準となる時点から、所定時間が経過するまでの間に、現金取扱装置１００に対する電源ＯＦＦの操作がない場合（ステップＳ６１０：Ｎｏ）、収納ケースが筐体１０１に取り付けられているか否かを判断する（ステップＳ６１３）。ステップＳ６１３において、収納ケースが筐体１０１に取り付けられている場合（ステップＳ６１３：Ｙｅｓ）、ステップＳ６０４へ移行して、現金の額の入力を待機する。一方、ステップＳ６１３において、収納ケースが筐体１０１に取り付けられていない場合（ステップＳ６１３：Ｎｏ）、ステップＳ６０２へ移行して、収納ケースが筐体１０１から取り外されている旨のメッセージを表示部１０７に表示する。
【０１２５】
図７のフローチャートにおいて、まず、利用者の識別情報を取得したか否かを判断する（ステップＳ７０１：Ｎｏ）。ステップＳ７０１においては、たとえば、カードリーダ１０３の読み取り結果に基づいて、金融機関が発行したキャッシュカードなどのカードに記憶された利用者の識別情報を取得したか否かを判断する。ステップＳ７０１において、利用者の識別情報を取得していない場合（ステップＳ７０１：Ｎｏ）、ステップＳ７０３へ移行する。
【０１２６】
ステップＳ７０１において、利用者の識別情報を取得した場合（ステップＳ７０１：Ｙｅｓ）、ステップＳ７０１：Ｙｅｓにおいて取得された利用者の識別情報を記憶する（ステップＳ７０２）。ステップＳ７０２においては、利用者の識別情報の記憶に先立ち、まず、ステップＳ７０１：Ｙｅｓにおいて取得された利用者の識別情報に基づいて、認証処理をおこなう。
【０１２７】
認証処理は、ステップＳ７０１：Ｙｅｓにおいて取得された利用者の識別情報が、正規な（金融機関に口座を開設している）利用者の識別情報であるか否かを判断する。具体的には、たとえば、利用者の識別情報を取得するごとに、取得された利用者の識別情報の認証要求を、金融機関のサーバコンピュータに対して送信する。そして、当該認証要求に応じてサーバコンピュータから送信される認証応答を受信し、受信した認証応答に基づいて、ステップＳ７０１：Ｙｅｓにおいて取得された利用者の識別情報にかかる入金あるいは出金の処理を許可するか否かを判断する。
【０１２８】
そして、ステップＳ７０２においては、たとえば、認証処理の結果、入金あるいは出金の処理を許可すると判断した利用者の識別情報のみを記憶する。あるいは、ステップＳ７０２においては、たとえば、認証処理の結果と関連付けて、ステップＳ７０１：Ｙｅｓにおいて取得された利用者の識別情報をすべて記憶してもよい。
【０１２９】
また、ステップＳ７０２においては、ステップＳ７０１：Ｙｅｓにおいて取得された利用者の識別情報をメモリ２０８に記憶してもよいし、ＲＡＭ２０３に記憶してもよい。ＲＡＭ２０３に記憶する場合、図７のフローチャートに示した処理の途中で停電が発生した場合、記憶した情報が消えてしまうことが想定される。このため、ステップＳ７０２においては、ステップＳ７０１：Ｙｅｓにおいて取得された利用者の識別情報は、メモリ２０８に記憶することが好ましい。
【０１３０】
なお、たとえば、利用者の識別情報と当該利用者に関する情報とを関連付けた利用者データベースなどのように、利用者の識別情報に基づいて利用者を特定可能なデータを、現金取扱装置１００のメモリに記憶しておき、この利用者データベースを参照して、現金取扱装置１００内で認証処理をおこなってもよい。これにより、たとえば、通信Ｉ／Ｆ２１１による通信圏外においても、認証処理を確実におこなうことができる。
【０１３１】
つぎに、操作部１０８からの出力信号に基づいて、現金取扱装置１００に対する入金を指定する操作を受け付けたか否かを判断する（ステップＳ７０３）。ステップＳ７０３において、現金取扱装置１００に対する入金を指定する操作を受け付けた場合（ステップＳ７０３：Ｙｅｓ）、再度、利用者の識別情報を取得したか否かを判断する（ステップＳ７０４）。ステップＳ７０４においては、利用者の識別情報を取得したことを確認するまで待機する（ステップＳ７０４：Ｎｏ）。
【０１３２】
ステップＳ７０４において、利用者の識別情報を取得した場合（ステップＳ７０４：Ｙｅｓ）、取得した利用者の識別情報を記憶する（ステップＳ７０５）。ステップＳ７０５においては、上記のステップＳ７０２と同様に、利用者の識別情報の記憶に先立って、取得した利用者の識別情報の認証処理をおこなう。そして、認証処理の結果、許可された利用者の識別情報にかかる取り引きをおこなう。ステップＳ７０４、ステップＳ７０５の処理により、たとえ、上記のステップＳ７０１において利用者の識別情報を取得する前に、入金を指定する操作を受け付けた場合にも、確実に利用者の識別情報を取得することができる。
【０１３３】
つぎに、センサ１０６ａの出力信号が変化したか否かを判断する（ステップＳ７０６）。上記のように、センサ１０６ａからの出力信号は、当該センサ１０６ａの検知範囲にある現金の有無に応じて変化するため、入金を指定する操作を受け付けた後のセンサ１０６ａの出力信号の変化の有無に基づいて、現金取扱装置１００に対して現金が入金されたか否かを判断することができる。ステップＳ７０６においては、センサ１０６ａの出力信号が、現金が入金されたと判断しうる、所定量以上変動したか否かを判断する。ステップＳ７０６において、センサ１０６ａの出力信号が変化していない場合（ステップＳ７０６：Ｎｏ）、センサ１０６ａの出力信号が変化するまで待機する。
【０１３４】
ステップＳ７０６において、センサ１０６ａの出力信号が変化した場合（ステップＳ７０６：Ｙｅｓ）、当該出力信号の変化に基づいて、ステップＳ７０６：Ｙｅｓにおいて入力された現金の真贋を判定する（ステップＳ７０７）。ステップＳ７０７においては、たとえば、センサ１０６ａの出力信号の変化のパターンや変化量が、測定などにより既知のパターンおよび変化量に合致するか否かを判断することにより、ステップＳ７０６：Ｙｅｓにおいて入力された現金の真贋を判定することができる。
【０１３５】
つぎに、ステップＳ７０７における真贋の判定結果に基づいて、ステップＳ７０６：Ｙｅｓにおいて入力された現金が正規の貨幣であるか否か判定する（ステップＳ７０８）。ステップＳ７０８において、ステップＳ７０６：Ｙｅｓにおいて入力された現金が正規の貨幣である場合（ステップＳ７０８：Ｙｅｓ）、当該現金の金種を特定する（ステップＳ７０９）。
【０１３６】
ステップＳ７０９においては、たとえば、ステップＳ７０７における真贋の判定結果に際しての、センサ１０６ａの出力信号の変化のパターンや変化量に基づいて、当該センサ１０６ａの出力信号の変化のパターンや変化量が、測定などにより既知のパターンおよび変化量に合致するか否かを判断することによって、金種を特定することができる。
【０１３７】
つぎに、ステップＳ７０９において特定した、ステップＳ７０６：Ｙｅｓにおいて入力された現金の金種に基づいて、モータを正転駆動する（ステップＳ７１０）。ステップＳ７１０においては、モータを正転駆動することによって、ステップＳ７０６：Ｙｅｓにおいて入力された現金を、収納ケース内へ搬送することができる。
【０１３８】
現金取扱装置１００においては、ステップＳ７１０において現金を収納ケース内に搬送（入金）した後、明細票を発行してもよい。明細書には、たとえば、入金した日時や場所に関する情報を印刷する。入金した日時「いつ」や場所「どこで」を明細書に印刷して記録に残すことにより、現金取扱装置１００の利用者を安心させることができる。
【０１３９】
そして、ステップＳ７０９において特定した現金の金種に基づいて、現金取扱装置１００が収納する現金の額を更新する（ステップＳ７１１）。ステップＳ７１１においては、たとえば、ステップＳ７０９において特定した現金の金種に基づいて、ステップＳ７０６：Ｙｅｓにおいて入金された現金の額を算出し、算出した額を、現金取扱装置１００が収納する現金の額として記憶していた数値に加算することによって、現金取扱装置１００が収納する現金の額を更新する。
【０１４０】
また、ステップＳ７０１：ＹｅｓあるいはステップＳ７０４：Ｙｅｓにおいて取得された利用者の識別情報と、入金された現金の額とを関連付けた取引情報を記憶する（ステップＳ７１２）。ステップＳ７１２においては、たとえば、ステップＳ７０９において特定した現金の金種に基づいて、入金された現金の額を算出することができる。また、ステップＳ７１２においては、ステップＳ７１０において現金を搬送している際に、紙幣番号読取部２０６によって読み取った紙幣番号を、ステップＳ７０１：ＹｅｓあるいはステップＳ７０４：Ｙｅｓにおいて取得された利用者の識別情報に関連付けて、取引情報として記憶する。
【０１４１】
つぎに、ステップＳ７１１において更新した現金の額、すなわち、現金取扱装置１００における現在の現金の額が、所定の上限額を上回ったか否かを判断する（ステップＳ７１３）。ステップＳ７１３において、現金取扱装置１００における現在の現金の額が、所定の上限額を上回った場合（ステップＳ７１３：Ｙｅｓ）、出金要求を出力して（ステップＳ７１４）、一連の処理を終了する。
【０１４２】
ステップＳ７１４においては、たとえば、自装置から所定範囲内に存在する利用者の端末装置３００を介して、自装置の存在および自装置からの出金要求を報知することによって出金要求を出力する。具体的には、ステップＳ７１４においては、たとえば、上記のようにｍｉｎｏｒに自装置のＩＤと出金要求とを含むビーコン情報を、無線信号送出部２１０から送出することによって出金要求を出力する。これにより、ビーコン情報を受信した利用者の端末装置３００において、自装置からの出金を要求するメッセージを表示させることによって自装置からの出金を喚起することができる。
【０１４３】
また、ステップＳ７１４においては、金融機関に開設した利用者自身の預金口座からの出金に限らず、キャッシングの利用を要求する出金要求を出力してもよい。現金取扱装置１００が出力した出金要求に応じてキャッシングをおこなった利用者については、キャッシングの利率を低下させる運用をおこなってもよい。低下させる利率は、金融機関側で任意に設定することができる。
【０１４４】
ステップＳ７１３において、現金取扱装置１００における現在の現金の額が、所定の上限額を上回っていない場合（ステップＳ７１３：Ｎｏ）、現金取扱装置１００における現在の現金の額が、所定の下限額を下回ったか否かを判断する（ステップＳ７１５）。ステップＳ７１５において、現金取扱装置１００における現在の現金の額が、所定の下限額を下回っていない場合（ステップＳ７１５：Ｎｏ）、一連の処理を終了する。一方、ステップＳ７１５において、現金取扱装置１００における現在の現金の額が、所定の下限額を下回った場合（ステップＳ７１５：Ｙｅｓ）、入金要求を出力して（ステップＳ７１６）、一連の処理を終了する。
【０１４５】
ステップＳ７１６においては、たとえば、自装置から所定範囲内に存在する利用者の端末装置３００を介して、自装置の存在および自装置に対する入金要求を報知することによって入金要求を出力する。具体的には、ステップＳ７１６においては、たとえば、上記のようにｍｉｎｏｒに自装置のＩＤと入金要求とを含むビーコン情報を、無線信号送出部２１０から送出することによって入金要求を出力する。これにより、ビーコン情報を受信した利用者の端末装置３００において、自装置に対する入金を要求するメッセージを表示させることによって自装置に対する入金を喚起することができる。
【０１４６】
また、ステップＳ７１６においては、入金要求に応じて現金取扱装置１００を利用した利用者に対しては、次回の取り引きにおける手数料を割り引く手数料割引サービスなど、各種のサービスの提供があることを案内する情報を含む入金要求を出力してもよい。提供される各種のサービスとしては、たとえば、現金取扱装置１００が備える電源から、利用者の端末装置３００（スマートフォンや携帯型電話機など）への充電をおこなうサービスなどであってもよい。
【０１４７】
ステップＳ７０８において、ステップＳ７０６：Ｙｅｓにおいて入力された現金が正規の貨幣ではない場合（ステップＳ７０８：Ｎｏ）、ブザー２０４を駆動制御して、ブザー音声を出力する（ステップＳ７１７）。ブザー２０４の出力は、ブザー２０４の出力を停止させる所定の解除操作を受け付けるまで（ステップＳ７１８：Ｎｏ）、継続しておこなう。ステップＳ７１８において、解除操作を受け付けた場合（ステップＳ７１８：Ｙｅｓ）、一連の処理を終了する。
【０１４８】
解除操作は、複数のキーを所定の順序で操作するような複雑な内容とすることができる。これにより、解除するまでに或る程度の時間を要し、現金取扱装置１００に偽札が入金されそうになっていることを、現金取扱装置１００の周囲に知らせることができる。不正の意図がない利用者の場合、ブザー２０４が出力されても動揺することなく、取り引きが完了するまでその場にいると考えられるが、不正の意図がある利用者の場合、ブザー２０４が出力されると当該ブザー２０４を停止させようとして操作部１０８などに触れることが想定される。これにより、偽札を流通させる不正行為者の指紋などを採ることができる。
【０１４９】
ステップＳ７０８において、入力された現金が正規の貨幣ではない場合は、ブザー２０４の出力とあわせて、カメラ２０７を駆動し、現金取扱装置１００の周囲を撮影するようにしてもよい。これにより、不正がおこなわれた現場の様子や、当該不正に関与している利用者の画像を取得することができる。ステップＳ７０８において、入力された現金が正規の貨幣ではない場合は、ブザー２０４の出力とあわせて、金融機関のサーバや警察のサーバなどに偽札の使用があることを通知するようにしてもよい。
【０１５０】
金融機関のサーバや警察のサーバなどに偽札の使用があることを通知する場合、ブザー２０４の出力に代えて、表示部１０７における表示内容を、たとえば「現金を計数しています。お待ちください。」などのように、正常に処理をしているようなメッセージを表示してもよい。これにより、金融機関から応援が来たり、警察から派遣された警察官が到着するまでの時間を確保することができ、警察官などが到着するまでの間、偽札を流通させようとしている不正行為者を、現金取扱装置１００の周辺にとどめておくことができる。
【０１５１】
ステップＳ７０３において、現金取扱装置１００に対する入金を指定する操作を受け付けていない場合（ステップＳ７０３：Ｎｏ）、現金取扱装置１００に対する出金を指定する操作を受け付けたか否かを判断する（ステップＳ７１９）。ステップＳ７１９において、出金を指定する操作は、出金の処理を指定する操作、および、当該出金の処理において出金する現金の額を指定する操作を含む。
【０１５２】
現金取扱装置１００においては、処理１回あたりの出金額を一定の指定額に固定してもよい。この場合、出金を指定する操作は、出金の処理を指定する操作のみでよく、当該出金の処理において出金する現金の額を指定する操作は含まない。これにより、出金の操作にかかる処理を簡易化することができる。
【０１５３】
ステップＳ７１９において、現金取扱装置１００に対する出金を指定する操作を受け付けていない場合（ステップＳ７１９：Ｎｏ）、ステップＳ７０１へ移行する。一方、ステップＳ７１９において、現金取扱装置１００に対する出金を指定する操作を受け付けた場合（ステップＳ７１９：Ｙｅｓ）、再度、利用者の識別情報を取得したか否かを判断する（ステップＳ７２０）。ステップＳ７２０においては、利用者の識別情報を取得したことを確認するまで待機する（ステップＳ７２０：Ｎｏ）。
【０１５４】
そして、利用者の識別情報を取得した場合（ステップＳ７２０：Ｙｅｓ）、取得した利用者の識別情報を記憶する（ステップＳ７２１）。ステップＳ７２０、ステップＳ７２１の処理により、上記のステップＳ７０４、ステップＳ７０５の処理と同様に、たとえば、上記のステップＳ７０１において利用者の識別情報を取得する前に、入金を指定する操作を受け付けた場合にも、確実に利用者の識別情報を取得することができる。
【０１５５】
つぎに、ステップＳ７１９：Ｙｅｓにおいて受け付けた出金を指定する操作に基づいて、モータを逆転駆動する（ステップＳ７２２）。ステップＳ７２２においては、出金を指定する操作において指定された現金の額を、収納ケースから入出金口１０６ｃに搬送し、入出金口１０６ｃから出金するためにモータを逆転駆動する。そして、ステップＳ７１１へ移行する。
【０１５６】
現金取扱装置１００においては、ステップＳ７２２において現金を収納ケースから搬送（出金）した後、明細票を発行してもよい。明細書には、たとえば、出金した日時や場所に関する情報を印刷する。出金した日時「いつ」や場所「どこで」を明細書に印刷して記録に残すことにより、現金取扱装置１００の利用者を安心させることができる。
【０１５７】
図７のステップＳ７１２において記憶された取引情報は、現金取扱装置１００が金融機関のサーバと通信をおこなうことによって当該サーバに転送される。サーバは、現金取扱装置１００から転送された取引情報に基づいて、取り引きをおこなった利用者を特定し、特定された利用者の識別情報に、入金された現金の額に関する情報や取り引きがおこなわれた日時に関する情報などを関連付けて、所定のデータベースに記憶する。
【０１５８】
現金取扱装置１００からサーバへの取引情報の転送は、たとえば、金融機関の従業員などが金融機関に現金取扱装置１００を持ち込み、当該金融機関に設置されているサーバ（あるいはサーバに接続された別のコンピュータ装置（店舗別サーバなど））と現金取扱装置１００とを有線接続した状態でおこなうことができる。この場合、サーバから現金取扱装置１００に対して、転送を指示する情報を出力し、現金取扱装置１００からの取引情報の転送は、サーバからの指示に基づいてのみおこなわれるようにしてもよい。これにより、現金取扱装置１００が記憶する取引情報が不用意に外部に流出することを防止し、現金取扱装置１００においておこなう取り引きの安全性や信頼性を確保することができる。
【０１５９】
あるいは、現金取扱装置１００から金融機関のサーバへの取引情報の転送は、たとえば、現金取扱装置１００から無線通信を介しておこなわれるものであってもよい。これにより、たとえば、該当する金融機関が周辺にない地域において現金取扱装置１００を用いた取り引きをおこなう場合にも、転送情報を金融機関のサーバに転送することができる。無線通信を介して取引情報を転送する場合、現金取扱装置１００は、取引情報を暗号化してから転送する。
【０１６０】
この実施の形態の現金取扱装置１００は、取り引きにかかる情報を記録した明細票の発行をおこなわない。運用上、取り引きにかかる情報は、利用者が、別途インターネットなどを介して所定のウェブページにおいて確認することができるものとする。明細票の発行をおこなわない運用とすることにより、明細票の発行にかかる印刷機構や被記録媒体などを不要とすることができる。これにより、現金取扱装置１００の軽量化および小型化を図ることができる。
【０１６１】
なお、現金取扱装置１００は、取り引きをおこなうごとに、当該取り引きにかかる情報を記録した明細票を発行するものであってもよい。この場合、現金取扱装置１００は、明細票の発行にかかる印刷機構や被記録媒体などを、上記の構成に加えてさらに備える。取り引きをおこなうごとに当該取り引きにかかる情報を記録した明細票を発行することにより、利用者に、取り引きが正常におこなわれたことを証明することができ、利用者を安心させることができる。
【０１６２】
移動式の現金取扱装置１００は、金融機関などの店舗から離れた場所において、現金を取り扱う取り引きをおこなう。このため、利用者によっては、取り引きの安全性に不安をもつことが想定される。この実施の形態の現金取扱装置１００において、取り引きにかかる情報を記録した明細票を発行することにより、取り引きの証拠となる書類を利用者に渡すことができる。これにより、利用者を安心させることができる。
【０１６３】
なお、この実施の形態においては、入出金口１０６ｃに対して、単数の貨幣が現金として入金される場合を想定して処理をおこなう例について説明したが、現金取扱装置１００は、一度に複数の貨幣の入金を受け付け可能なものであってもよい。具体的には、たとえば、紙幣の入金を受け付ける入出金口１０６ｃの近傍に、紙幣を１枚ずつ繰り出すためのローラを設け、複数枚の紙幣が重ねた状態で入出金口１０６ｃに入金された場合には当該ローラによって１枚ずつ繰り出し、上記の真贋の判定や金種の特定を紙幣１枚ずつおこなうようにしてもよい。そして、入出金口１０６ｃに挿入された現金がなくなった場合に、入金額を確定するようにしてもよい。
【０１６４】
この発明にかかる実施の形態の現金取扱装置１００は、利用できる場所や時間を制限するようにしてもよい。たとえば、現金取扱装置１００において、当該現金取扱装置１００が稼働する場所（範囲）や時間（時間帯）などの稼働条件をあらかじめ設定しておく。現金取扱装置１００は、電源がＯＮ状態とされている間、あらかじめ設定された稼働条件に該当するか否かを判断する。そして、あらかじめ設定された稼働条件に合致する場合に、入金の処理や出金の処理をおこなう。
【０１６５】
また、この発明にかかる実施の形態の現金取扱装置１００は、ＧＰＳを備えているため、自装置の位置や現在時刻を正確に認識することができる。これにより、上記のように利用できる場所や時間を制限する運用において、現金取扱装置１００を稼働条件に忠実に動作させることができる。なお、自装置の位置や現在時刻の認識は、ＧＰＳに限るものではない。たとえば、既設のＡＴＭが備えるセンサ１０６ａや、既存のＷＩＦＩを利用して自装置の位置や現在時刻を認識するものであってもよい。
【０１６６】
この発明にかかる実施の形態の現金取扱装置１００は、上述した実施の形態で説明した構成に加えて、入金された現金（紙幣）にマーキングを施す、マーキング機構を備えていてもよい。マーキング機構は、現金取扱装置１００に入金された現金に対してマーキングをおこなうスタンプと、当該スタンプに用いるインクを貯留するインクタンクと、を備えて構成することができる。マーキング機構が用いるインクは、たとえば、アルコールや有機溶剤（シンナー）などの汎用性の高い溶剤では消すことができない特殊なインクとする。これにより、現金取扱装置１００に入金された現金を容易かつ確実に区別することができる。
【０１６７】
また、現金取扱装置１００は、現金取扱装置１００から出金する現金（紙幣）から、マーキング機構のスタンプによって施したマーキング（スタンプ）を消去する、マーキング消去機構を備えていてもよい。マーキング消去機構は、現金取扱装置１００から出金される現金に、マーキング機構によってなされたマーキングを消去するための消去用インクを塗布する塗布機構や、当該塗布機構に用いるインクを貯留するインクタンクと、を備えて構成することができる。これにより、現金取扱装置１００に入金された現金であっても、出金された後は、その他の通常流通している現金と同じに戻すことができる。
【０１６８】
このように、マーキング機構およびマーキング消去機構を備えることにより、現金取扱装置１００内に収納されている現金を、その他通常流通している現金と区別することができる。これにより、現金取扱装置１００ごと盗難されて、収納ケースをこじ開けて現金を入手した場合、当該現金にはマーキング機構によるマーキング（スタンプ）がなされたままであるため、当該現金が不正に入手した現金であることを容易かつ確実に特定することができる。
【０１６９】
（別の現金取扱装置１００の外観）
図８は、この発明にかかる別の実施の形態の現金取扱装置１００の外観を示す説明図である。図８においては、図１に示した現金取扱装置１００とは外観の異なる現金取扱装置１００を示している。図８において、この発明にかかる実施の形態の現金取扱装置１００は、筐体１０１を開いた状態において筐体１０１の側方部分を覆う、覗き見防止壁８０１を備えていてもよい。
【０１７０】
覗き見防止壁８０１は、筐体１０１の開閉に連動して、筐体１０１が開いた状態にある場合は図８に示したように筐体１０１の側方を覆い、筐体１０１が閉じられた状態にある場合は筐体１０１内で折り畳まれる。これにより、筐体１０１を開閉するだけで、表示部１０７が周囲から見られないようにするための覗き見防止壁８０１を容易に設営することができ、当該覗き見防止壁８０１を容易に収納することができる。
【０１７１】
上述した実施の形態においては、アタッシュケース状の、金融機関の従業員などが手に提げて運搬できる現金取扱装置１００について説明したが、現金取扱装置１００の形状はこれに限るものではない。たとえば、底部にキャスターを備えた、キャリーバッグ状の外観をなす現金取扱装置１００であってもよい。
【０１７２】
このような現金取扱装置１００とする場合、当該現金取扱装置１００を金融機関の従業員などが手に提げて運搬する必要がないので、バッテリを大型化することができる。また、この場合、手動発電機構（ダイナモを回転させるハンドルなど）を搭載していてもよい。また、この場合、キャリーバッグ状の外観をなす現金取扱装置１００の外壁面にソーラーパネルを取り付けてもよい。あるいは、高速充電機能を備えていてもよい。
【０１７３】
（現金取扱装置１００の利用場面）
つぎに、現金取扱装置１００の利用場面について説明する。上述した実施の形態において説明した現金取扱装置１００を含み、この発明にかかる現金取扱装置１００は、たとえば、イベント会場において利用することができる。イベント会場において利用する場合、現金取扱装置１００は、たとえば、イベント会場への入り口周辺に設置することが好ましい。これにより、イベントに参加するため気持ちが高まっている利用者に、当該イベントをより楽しんでもらうべく、資金調達の容易性の観点から利用者を支援することができる。
【０１７４】
また、この発明にかかる現金取扱装置１００は、たとえば、ホテルなどの宿泊施設において利用することができる。具体的には、たとえば、ホテルなどの宿泊施設のフロントにおいて利用することができる。これにより、利用者は、フロントチェックの順番を待っている間などに、入金や出金をおこなうことができる。
【０１７５】
また、具体的には、たとえば、ホテルなどの宿泊施設におけるルームサービスにおいて利用することができる。これにより、利用者は、宿泊施設に滞在期間中はいつでも都合のよいタイミングで自室にホテルマンなどを呼んで、自室において入金や出金をおこなうことができる。
【０１７６】
また、この発明にかかる現金取扱装置１００は、たとえば、家電量販店、観光バス／長距離バス、カジノ、葬祭会場など、各種の場所において利用することができる。この発明にかかる現金取扱装置１００を、たとえば、近年増加する外国人観光客が大量に商品を購入する家電量販店に設置した場合、外国人観光客に、どこにあるかわからないＡＴＭを探して時間を浪費させることなく、直ちに現金を入手させることができる。これによって、店舗の売り上げ向上を期待することができる。
【０１７７】
外国人観光客の利用を想定した場合、表示部１０７においては、外国語で表示してもよく、さらに、外国人観光客が自国の金融機関で開設している預金口座から、日本円に換算した現金を取得できるようにしてもよい。この場合、表示部１０７に、換算レートや、換算にかかるサービス料などをあわせて表示してもよい。
【０１７８】
また、この発明にかかる現金取扱装置１００は、たとえば、店舗の売り上げを収納する仮の金庫のように用いてもよい。これにより、店舗の売り上げを、当該店舗において金融機関に仮設した預金口座に入金することができ、かつ、入金した現金のセキュリティ性を確保することができる。
【０１７９】
カジノにおいて利用する場合は、現金で出金されるものではなく、当該カジノにおいて流通するコインを払い出すようにしてもよい。あるいは、軽量化を図るため、コインに相当する金券としてのクーポンを発行するようにしてもよい。これにより、クーポンの発行にかかる印刷機構などを別途追加するものの、大量の現金を移動させることなく、直ちに現金が入手できるという利便性を提供することができる。
【０１８０】
また、葬祭会場において使用する場合は、現金を直接出金するのではなく、不祝儀袋に入れた状態の現金を出金するようにしてもよい。さらに、不祝儀袋に氏名を印刷するようにしてもよい。これにより、不祝儀袋を保持したり、当該不祝儀袋に氏名を印刷するための印刷機構などを別途追加するものの、常設されていない葬祭会場において現金の入金や出金をおこなうことができるという高い利便性を提供することができる。
【０１８１】
上述したように、この発明にかかる現金取扱装置１００は、小型のＡＴＭであって、ＡＴＭと同等のサービスを場所を制限することなく提供することができる。この発明にかかる現金取扱装置１００を利用することにより、「ＡＴＭに行く」という発想から「ＡＴＭが来る」、「ＡＴＭがどこにでもある」という発想への転換を促すことができ、生活における利便性の向上を図ることができる。
【０１８２】
以上説明したように、この発明にかかる実施の形態の現金取扱装置１００は、現金を収納して、可搬性を備え、出金した現金の額が所定の下限額を下回った場合、自装置に対する入金を喚起するようにしたことを特徴としている。
【０１８３】
この発明にかかる実施の形態の現金取扱装置１００によれば、たとえば、被災地などのように既設のＡＴＭが使用できない場所や、イベント会場などのように常時ＡＴＭが設置されていない場所において、利用者に現金を出金させることができる。これにより、利用者自身が、現金を手にするために移動することが難しい状況においても、当該利用者に現金を手にさせることができ、利用者の利便性の向上を図ることができる。
【０１８４】
また、この発明にかかる実施の形態の現金取扱装置１００は、自装置から所定範囲内に存在する利用者の端末装置３００を介して、自装置の存在および自装置への入金要求を報知することにより、自装置に対する入金を喚起するようにしたことを特徴としている。
【０１８５】
この発明にかかる実施の形態の現金取扱装置１００によれば、現金取扱装置１００が収納する現金が所定の下限額を下回った場合には、自装置の周囲の利用者に入金を呼びかけることで、再び現金取扱装置１００の利用を可能とすることができる。これにより、可搬性を高めるため小型化した現金取扱装置１００においても、長時間にわたって現金の入出金のサービスを提供することができる。
【０１８６】
また、この発明にかかる実施の形態の現金取扱装置１００は、所定の金融機関への移動を喚起することにより、自装置に対する入金を喚起するようにしたことを特徴としている。
【０１８７】
この発明にかかる実施の形態の現金取扱装置１００によれば、現金取扱装置１００が収納する現金が所定の下限額を下回った場合には、最寄りの金融機関など、所定の金融機関への移動を喚起することにより、現金取扱装置１００を運搬し取り扱う者が、現在の現金の額を計数していなくても、適切なタイミングで、現金取扱装置１００に現金を補充するようアナウンスすることができる。
【０１８８】
また、この発明にかかる実施の形態の現金取扱装置１００においては、たとえば、「１０００円」、「１万円」などのように、あらかじめ指定された指定額を出金するものであってもよい。
【０１８９】
この発明にかかる実施の形態の現金取扱装置１００によれば、操作の簡易化を実現することができる。また、金額を限定することにより、１回あたりの手続きにかかる時間を短く抑えることができる。これにより、たとえば、イベント会場などにおいてたくさんの利用者が現金取扱装置１００の利用を待機している場合にも、各利用者に順番が早く回るようにすることができ、利便性の向上を図ることができる。
【０１９０】
また、この発明にかかる実施の形態の現金取扱装置１００は、現金の入金を受け付けるごとに、現金取扱装置１００が収納する現金の額を計数し、計数された現金の額に基づいて、現金取扱装置１００が収納する現金の残高を管理するようにしたことを特徴としている。
【０１９１】
この発明にかかる実施の形態の現金取扱装置１００によれば、現金の入金を受け付けるごとに、現金取扱装置１００が収納する現金の残高を管理することにより、現金が不足する事態を発生しにくくし、利用者が利用できない事態を回避することができる。
【０１９２】
また、この発明にかかる実施の形態の現金取扱装置１００は、現金の額が所定の上限額を上回った場合、自装置から所定範囲内に存在する利用者の端末装置を介して、自装置の存在および自装置からの出金要求を報知することにより、自装置からの出金を喚起するようにしたことを特徴としている。
【０１９３】
この発明にかかる実施の形態の現金取扱装置１００によれば、現金取扱装置１００が収納する現金の額が所定の上限額を上回った場合は、当該現金取扱装置１００からの出金を促すことにより、現金取扱装置１００に現金が貯まりすぎることを回避することができる。これにより、現金取扱装置１００が収納する現金を、効率よく流通させることができる。
【産業上の利用可能性】
【０１９４】
以上のように、この発明にかかる現金取扱装置は、現金の入金や出金が可能な現金取扱装置に有用であり、特に、被災地やイベント会場などのようにＡＴＭが常設されにくい場所や状況において使用する現金取扱装置に適している。
【符号の説明】
【０１９５】
１００  現金取扱装置
１１０  残高メータ
４００  現金残高管理部
４０１ａ  記憶部
４０２  現金収納部
４０３  指示受付部
４０４  出金制御部
４０５  入金受付部
４０６  現金額計数部
４０７  判断部
４０８  喚起部
【図１】
0006411152.tif 000002
【図２】
0006411152.tif 000003
【図３】
0006411152.tif 000004
【図４】
0006411152.tif 000005
【図５】
0006411152.tif 000006
【図６】
0006411152.tif 000007
【図７】
0006411152.tif 000008
【図８】
0006411152.tif 000009